(57)【特許請求の範囲】
【請求項１】
第１移動局と第２移動局との間で、無線基地局との間で設定されている無線基地局インタフェースを介することなく、該第１移動局と該第２移動局との間で設定されている移動局間インタフェースを介して、データ信号の送受信を行う移動通信方法であって、
前記無線基地局が、前記第１移動局に対して、前記無線基地局インタフェースを介して、第１参照信号に係る第１設定信号を送信する工程と、
前記無線基地局が、前記第２移動局に対して、前記無線基地局インタフェースを介して、第２参照信号に係る第２設定信号を送信する工程と、
前記第１移動局が、前記第１設定信号に基づいて、前記第２移動局に対して、前記移動局間インタフェースを介して、前記第１参照信号を送信する工程と、
前記第２移動局が、前記第２設定信号に基づいて、前記第１移動局に対して、前記移動局間インタフェースを介して、前記第２参照信号を送信する工程とを有することを特徴とする移動通信方法。
【請求項２】
前記無線基地局が前記第１移動局と前記第２移動局に対して、前記移動局間インタフェースを用いて前記データ信号の送受信のために用いる共通の識別子を、前記移動局間インタフェースを用いて前記データ信号の送受信を開始する前に割り当てることを特徴とする請求項１に記載の移動通信方法。
【請求項３】
前記無線基地局が、前記第１移動局に対して、前記無線基地局インタフェースを介して、前記第２設定信号を送信する工程と、
前記無線基地局が、前記第２移動局に対して、前記無線基地局インタフェースを介して、前記第１設定信号を送信する工程と、
前記第１移動局が、前記第２設定信号に基づいて、前記第２移動局から、前記移動局間インタフェースを介して、前記第２参照信号を受信する工程と、
前記第２移動局が、前記第１設定信号に基づいて、前記第１移動局から、前記移動局間インタフェースを介して、前記第１参照信号を受信する工程とを有することを特徴とする請求項１又は２に記載の移動通信方法。
【請求項４】
前記第１移動局が、前記無線基地局に対して、前記無線基地局インタフェースを介して、前記第２参照信号の測定結果を含む第１測定報告を送信する工程と、
前記第２移動局が、前記無線基地局に対して、前記無線基地局インタフェースを介して、前記第１参照信号の測定結果を含む第２測定報告を送信する工程とを有することを特徴とする請求項３に記載の移動通信方法。
【請求項５】
前記第１設定信号及び前記第２設定信号は、それぞれ前記第１参照信号及び前記第２参照信号を送信する時間や周波数やコードの少なくとも１つに係る情報を含むことを特徴とする請求項１又は２に記載の移動通信方法。
【請求項６】
第１移動局と第２移動局との間で、無線基地局との間で設定されている無線基地局インタフェースを介することなく、該第１移動局と該第２移動局との間で設定されている移動局間インタフェースを介して、データ信号の送受信を行うことができるように構成されている移動通信システムにおいて用いられる無線基地局であって、
前記第１移動局に対して、前記無線基地局インタフェースを介して、第１参照信号に係る第１設定信号を送信し、前記第２移動局に対して、該無線基地局インタフェースを介し
て、第２参照信号に係る第２設定信号を送信するように構成されている送信部を具備しており、
前記第１設定信号は、前記第１移動局が前記第２移動局に対して前記移動局間インタフェースを介して前記第１参照信号を送信するためのリソースを指示し、
前記第２設定信号は、前記第２移動局が前記第１移動局に対して前記移動局間インタフェースを介して前記第２参照信号を送信するためのリソースを指示することを特徴とする無線基地局。
【請求項７】
前記無線基地局が、前記第１移動局と前記第２移動局に対して、前記移動局間インタフェースを用いて前記データ信号の送受信のために用いる共通の識別子を、前記移動局間インタフェースを用いて前記データ信号の送受信を開始する前に割り当てることを特徴とする請求項６に記載の無線基地局。
【請求項８】
前記送信部は、前記第１移動局に対して、前記無線基地局インタフェースを介して、前記第２設定信号を送信し、前記第２移動局に対して、該無線基地局インタフェースを介して、前記第１設定信号を送信するように構成されていることを特徴とする請求項６又は７に記載の無線基地局。
【請求項９】
前記第１設定信号及び前記第２設定信号は、それぞれ前記第１参照信号及び前記第２参照信号を送信する時間や周波数やコードの少なくとも１つに係る情報を含むことを特徴とする請求項６又は７に記載の無線基地局。
【請求項１０】
第１移動局と第２移動局との間で、無線基地局との間で設定されている無線基地局インタフェースを介することなく、該第１移動局と該第２移動局との間で設定されている移動局間インタフェースを介して、データ信号の送受信を行うことができるように構成されている移動通信システムにおいて該第１移動局として用いられる移動局であって、
前記無線基地局から、前記無線基地局インタフェースを介して、第１参照信号に係る第１設定信号を受信するように構成されている受信部と、
前記第１設定信号に基づいて、前記第２移動局に対して、前記移動局間インタフェースを介して、前記第１参照信号を送信するように構成されている送信部とを具備することを特徴とする移動局。
【請求項１１】
前記第１移動局と前記第２移動局は、前記無線基地局から前記移動局間インタフェースを用いて前記データ信号の送受信のために用いる共通の識別子を、前記移動局間インタフェースを用いて前記データ信号の送受信を開始する前に割り当てられることを特徴とする請求項１０に記載の移動局。
【請求項１２】
測定部を更に具備しており、
前記受信部は、前記無線基地局から、前記無線基地局インタフェースを介して、第２参照信号に係る第２設定信号を受信するように構成されており、
前記受信部は、前記第２設定信号に基づいて、前記第２移動局によって送信された前記第２参照信号を受信するように構成されており、
前記測定部は、受信した前記第２参照信号に対する測定処理を行うように構成されており、
前記送信部は、前記無線基地局に対して、前記無線基地局インタフェースを介して、前記第２参照信号の測定結果を含む第１測定報告を送信するように構成されていることを特徴とする請求項１０又は１１に記載の移動局。
【発明の詳細な説明】
【技術分野】
【０００１】
本発明は、移動通信方法、無線基地局及び移動局に関する。
【背景技術】
【０００２】
Ｗ-ＣＤＭＡ（Ｗｉｄｅｂａｎｄ-Ｃｏｄｅ  Ｄｉｖｉｓｉｏｎ  Ｍｕｌｔｉｐｌｅ  Ａｃｃｅｓｓ）方式やＬＴＥ（Ｌｏｎｇ  Ｔｅｒｍ  Ｅｖｏｌｕｔｉｏｎ）方式等のセルラー方式の移動通信システムでは、複数の移動局ＵＥ同士の通信は、無線アクセスネットワーク装置やコアネットワーク装置等を介して行われるように構成されている。
【先行技術文献】
【非特許文献】
【０００３】
【非特許文献１】３ＧＰＰ  ＴＳ３６.３００
【発明の概要】
【発明が解決しようとする課題】
【０００４】
しかしながら、従来のセルラー方式の移動通信システムにおいて、複数の移動局ＵＥ同士の通信を行う場合、かかる移動局間の無線品質を考慮して、かかる通信を制御することができないという問題点があった。
【０００５】
すなわち、従来のセルラー方式の移動通信システムでは、無線基地局と移動局との間でのみ、無線品質を測定するための信号が送信されるように構成されているため、複数の移動局間の無線品質を測定することができないという問題点があった。
【０００６】
そこで、本発明は、上述の課題に鑑みてなされたものであり、複数の移動局間の無線品質を測定することを可能とする移動通信方法、無線基地局及び移動局を提供することを目的とする。
【課題を解決するための手段】
【０００７】
本発明の第１の特徴は、第１移動局と第２移動局との間で、無線基地局との間で設定されている無線基地局インタフェースを介することなく、該第１移動局と該第２移動局との間で設定されている移動局間インタフェースを介して、データ信号の送受信を行う移動通信方法であって、前記無線基地局が、前記第１移動局に対して、前記無線基地局インタフェースを介して、第１参照信号に係る第１設定信号を送信する工程と、前記無線基地局が、前記第２移動局に対して、前記無線基地局インタフェースを介して、第２参照信号に係る第２設定信号を送信する工程と、前記第１移動局が、前記第１設定信号に基づいて、前記第２移動局に対して、前記移動局間インタフェースを介して、前記第１参照信号を送信する工程と、前記第２移動局が、前記第２設定信号に基づいて、前記第１移動局に対して、前記移動局間インタフェースを介して、前記第２参照信号を送信する工程とを有することを要旨とする。
【０００８】
本発明の第２の特徴は、第１移動局と第２移動局との間で、無線基地局との間で設定されている無線基地局インタフェースを介することなく、該第１移動局と該第２移動局との間で設定されている移動局間インタフェースを介して、データ信号の送受信を行うことができるように構成されている移動通信システムにおいて用いられる無線基地局であって、前記第１移動局に対して、前記無線基地局インタフェースを介して、第１参照信号に係る第１設定信号を送信し、前記第２移動局に対して、該無線基地局インタフェースを介して、第２参照信号に係る第２設定信号を送信するように構成されている送信部を具備しており、前記第１設定信号は、前記第１移動局が前記第２移動局に対して前記移動局間インタフェースを介して前記第１参照信号を送信するためのリソースを指示し、前記第２設定信号は、前記第２移動局が前記第１移動局に対して前記移動局間インタフェースを介して前記第２参照信号を送信するためのリソースを指示することを要旨とする。
【０００９】
本発明の第３の特徴は、第１移動局と第２移動局との間で、無線基地局との間で設定されている無線基地局インタフェースを介することなく、該第１移動局と該第２移動局との間で設定されている移動局間インタフェースを介して、データ信号の送受信を行うことができるように構成されている移動通信システムにおいて該第１移動局として用いられる移動局であって、前記無線基地局から、前記無線基地局インタフェースを介して、第１参照信号に係る第１設定信号を受信するように構成されている受信部と、前記第１設定信号に基づいて、前記第２移動局に対して、前記移動局間インタフェースを介して、前記第１参照信号を送信するように構成されている送信部とを具備することを要旨とする。
【発明の効果】
【００１０】
以上説明したように、本発明によれば、複数の移動局間の無線品質を測定することを可能とする移動通信方法、無線基地局及び移動局を提供することができる。
【図面の簡単な説明】
【００１１】
【図１】本発明の第１の実施形態に係る移動通信システムの全体構成図である。
【図２】本発明の第１の実施形態に係る無線基地局の機能ブロック図である。
【図３】本発明の第１の実施形態に係る移動局の機能ブロック図である。
【図４】本発明の第１の実施形態に係る移動通信システムの動作を示すシーケンス図である。
【発明を実施するための形態】
【００１２】
（本発明の第１の実施形態に係る移動通信システム）
図１乃至図４を参照して、本発明の第１の実施形態に係る移動通信システムについて説明する。
【００１３】
本実施形態に係る移動通信システムは、ＬＴＥ方式の移動通信システムであって、図１に示すように、移動管理ノードＭＭＥ（Ｍｏｂｉｌｉｔｙ  Ｍａｎａｇｅｍｅｎｔ  Ｅｎｔｉｔｙ）と、移動管理ノードＭＭＥ配下に接続されている無線基地局ｅＮＢとを具備している。なお、本発明は、ＬＴＥ方式以外のセルラー方式の移動通信システムにも適用可能である。
【００１４】
ここで、無線基地局ｅＮＢと移動局ＵＥ＃１/ＵＥ＃２との間では、Ｕｕインタフェースを介してデータ信号が送受信されるように構成されており、移動局ＵＥ＃１と移動局ＵＥ＃２との間では、Ｕｄインタフェースを介してデータ信号が送受信されるように構成されている。
【００１５】
すなわち、移動局ＵＥ＃１は、移動局ＵＥ＃２との間で、無線基地局ｅＮＢを介して（Ｕｕインタフェースを介して）データ信号を送受信することもできるし、無線基地局ｅＮＢを介さないで（Ｕｄインタフェースを介して）データ信号を送受信することもできる。
【００１６】
同様に、移動局ＵＥ＃２は、移動局ＵＥ＃１との間で、無線基地局ｅＮＢを介して（Ｕｕインタフェースを介して）データ信号を送受信することもできるし、無線基地局ｅＮＢを介さないで（Ｕｄインタフェースを介して）データ信号を送受信することもできる。
【００１７】
図２に示すように、無線基地局ｅＮＢは、受信部１１と、スケジューリング部１２と、送信部１３とを具備している。
【００１８】
受信部１１は、移動局ＵＥ＃１や移動局ＵＥ＃２から、データ信号や制御信号を受信するように構成されている。
【００１９】
スケジューリング部１２は、移動局ＵＥ＃１や移動局ＵＥ＃２に対するスケジューリング処理を行うように構成されている。
【００２０】
例えば、スケジューリング部１２は、移動局ＵＥ＃１が移動局ＵＥ＃２に対してＵｄインタフェースを介してＲＳ（Ｒｅｆｅｒｅｎｃｅ  Ｓｉｇｎａｌ）＃１を送信するためのリソースを割り当てたり、移動局ＵＥ＃２が移動局ＵＥ＃１に対してＵｄインタフェースを介してＲＳ＃２を送信するためのリソースを割り当てたりするように構成されている。
【００２１】
ここで、スケジューリング部１２は、ＲＳ＃１やＲＳ＃２を送信するためのリソースとして、特定のリソースブロック（ＲＢ：Ｒｅｓｏｕｒｃｅ  Ｂｌｏｃｋ）やリソースエレメント（ＲＥ：Ｒｅｓｏｕｒｃｅ  Ｅｌｅｍｅｎｔ）を割り当てるように構成されていてもよい。
【００２２】
送信部１３は、移動局ＵＥ＃１や移動局ＵＥ＃２に対して、データ信号や制御信号を送信するように構成されている。
【００２３】
例えば、送信部１３は、移動局ＵＥ＃１に対して、Ｕｕインタフェースを介して、ＲＳ＃１に係る設定信号＃１を送信したり、移動局ＵＥ＃２に対して、Ｕｕインタフェースを介して、ＲＳ＃２に係る設定信号＃２を送信したりするように構成されている。
【００２４】
図３に示すように、移動局ＵＥ＃１及び移動局ＵＥ＃２は、それぞれ、送信部２１と、受信部２２と、測定部２３とを具備している。
【００２５】
移動局ＵＥ＃１の送信部２１は、無線基地局ｅＮＢに対して、Ｕｕインタフェースを介して、データ信号や制御信号を送信し、移動局ＵＥ＃２に対して、Ｕｄインタフェースを介して、データ信号を送信するように構成されている。
【００２６】
同様に、移動局ＵＥ＃２の送信部２１は、無線基地局ｅＮＢに対して、Ｕｕインタフェースを介して、データ信号や制御信号を送信し、移動局ＵＥ＃１に対して、Ｕｄインタフェースを介して、データ信号を送信するように構成されている。
【００２７】
移動局ＵＥ＃１の受信部２２は、無線基地局ｅＮＢから、Ｕｕインタフェースを介して、データ信号や制御信号を受信し、移動局ＵＥ＃２から、Ｕｄインタフェースを介して、データ信号を受信するように構成されている。
【００２８】
同様に、移動局ＵＥ＃２の受信部２２は、無線基地局ｅＮＢから、Ｕｕインタフェースを介して、データ信号や制御信号を受信し、移動局ＵＥ＃１から、Ｕｄインタフェースを介して、データ信号を受信するように構成されている。
【００２９】
ここで、移動局ＵＥ＃１の受信部２２が、無線基地局ｅＮＢから、Ｕｕインタフェースを介して、ＲＳ＃１に係る設定信号＃１を受信した場合、移動局ＵＥ＃１の送信部２１は、移動局ＵＥ＃２に対して、設定信号＃１によって指定されたリソースを用いて、Ｕｄインタフェースを介して、ＲＳ＃１を送信するように構成されている。
【００３０】
同様に、移動局ＵＥ＃２の受信部２２が、無線基地局ｅＮＢから、Ｕｕインタフェースを介して、ＲＳ＃２に係る設定信号＃２を受信した場合、移動局ＵＥ＃２の送信部２１は、移動局ＵＥ＃１に対して、設定信号＃２によって指定されたリソースを用いて、Ｕｄインタフェースを介して、ＲＳ＃２を送信するように構成されている。
【００３１】
移動局ＵＥ＃１の測定部２３は、移動局ＵＥ＃１の受信部２２によって受信されたＲＳ＃２に対する測定処理を行うように構成されている。
【００３２】
例えば、移動局ＵＥ＃１の測定部２３は、かかるＲＳ＃１に基づいて、ＣＱＩ（Ｃｈａｎｎｅｌ  Ｑｕａｌｉｔｙ  Ｉｎｄｉｃａｔｏｒ）やＲＩ（Ｒａｎｋ  Ｉｎｄｉｃａｔｏｒ）やＰＭＩ（Ｐｒｅｃｏｄｉｎｇ  Ｍａｔｒｉｘ  Ｉｎｄｉｃａｔｏｒ）等のＣＳＩ（Ｃｈａｎｎｅｌ  Ｓｔａｔｅ  Ｉｎｆｏｒｍａｔｉｏｎ）を算出するように構成されている。
【００３３】
また、移動局ＵＥ＃１の測定部２３は、かかるＲＳ＃１に基づいて、ＲＳＲＰ（ＲＳ  Ｒｅｃｅｉｖｅｄ  Ｐｏｗｅｒ）、ＲＳＲＱ（ＲＳ  Ｒｅｃｅｉｖｅｄ  Ｑｕａｌｉｔｙ）、Ｐａｔｈｌｏｓｓ等を算出するように構成されている。
【００３４】
同様に、移動局ＵＥ＃２の測定部２３は、移動局ＵＥ＃２の受信部２２によって受信されたＲＳ＃１に対する測定処理を行うように構成されている。
【００３５】
例えば、移動局ＵＥ＃２の測定部２３は、かかるＲＳ＃２に基づいて、ＣＱＩやＲＩやＰＭＩ等のＣＳＩを算出するように構成されている。
【００３６】
また、移動局ＵＥ＃２の測定部２３は、かかるＲＳ＃２に基づいて、ＲＳＲＰやＲＳＲＱやＰａｔｈｌｏｓｓ等を算出するように構成されている。
【００３７】
ここで、移動局ＵＥ＃１の受信部２２は、無線基地局ｅＮＢから、ＲＳ＃２に係る設定信号＃２を受信し、かかる設定信号＃２に基づいて、移動局ＵＥ＃２によって送信されたＲＳ＃２を受信するように構成されていてもよい。
【００３８】
同様に、移動局ＵＥ＃２の受信部２２は、無線基地局ｅＮＢから、ＲＳ＃１に係る設定信号＃１を受信し、かかる設定信号＃１に基づいて、移動局ＵＥ＃１によって送信されたＲＳ＃１を受信するように構成されていてもよい。
【００３９】
また、移動局ＵＥ＃１の送信部２１は、無線基地局ｅＮＢに対して、Ｕｕインタフェースを介して、測定部２３によって得られたＲＳ＃２の測定結果を含む測定報告＃１を送信するように構成されていてもよい。
【００４０】
かかる測定報告＃１は、「ＣＳＩ  Ｆｅｅｄｂａｃｋ＃１」と呼ばれてもよく、「ＣＳＩ  Ｆｅｅｄｂａｃｋ＃１」には、ＣＱＩやＲＩやＰＭＩ等のＣＳＩが含まれていてもよい。また、「ＣＳＩ  Ｆｅｅｄｂａｃｋ＃１」は、物理（ＰＨＹ）レイヤ又はＭＡＣレイヤの制御信号として送信されてもよい。
【００４１】
また、測定報告＃１は、「Ｍｅａｓｕｒｅｍｅｎｔ  Ｒｅｐｏｒｔ＃１」と呼ばれてもよく、「Ｍｅａｓｕｒｅｍｅｎｔ  Ｒｅｐｏｒｔ＃１」には、ＲＳＲＰやＲＳＲＱやＰａｔｈｌｏｓｓ等の情報が含まれていてもよい。また、「Ｍｅａｓｕｒｅｍｅｎｔ  Ｒｅｐｏｒｔ＃１」は、ＲＲＣレイヤの制御メッセージとして送信されてもよい。
【００４２】
同様に、移動局ＵＥ＃２の送信部２１は、無線基地局ｅＮＢに対して、Ｕｕインタフェースを介して、測定部２３によって得られたＲＳ＃１の測定結果を含む測定報告＃２を送信するように構成されていてもよい。
【００４３】
かかる測定報告＃２は、「ＣＳＩ  Ｆｅｅｄｂａｃｋ＃２」と呼ばれてもよく、「ＣＳＩ  Ｆｅｅｄｂａｃｋ＃２」には、ＣＱＩやＲＩやＰＭＩ等のＣＳＩが含まれていてもよい。また、「ＣＳＩ  Ｆｅｅｄｂａｃｋ＃２」は、物理（ＰＨＹ）レイヤ又はＭＡＣレイヤの制御信号として送信されてもよい。
【００４４】
また、測定報告＃２は、「Ｍｅａｓｕｒｅｍｅｎｔ  Ｒｅｐｏｒｔ＃２」と呼ばれてもよく、「Ｍｅａｓｕｒｅｍｅｎｔ  Ｒｅｐｏｒｔ＃２」には、ＲＳＲＰやＲＳＲＱやＰａｔｈｌｏｓｓ等の情報が含まれていてもよい。また、「Ｍｅａｓｕｒｅｍｅｎｔ  Ｒｅｐｏｒｔ＃２」は、ＲＲＣレイヤの制御メッセージとして送信されてもよい。
【００４５】
以下、図４を参照して、本実施形態に係る移動通信システムにおいて、移動局ＵＥ＃１と移動局ＵＥ＃２との間でＵｄインタフェースを介したデータ信号の送受信が行われている場合の動作について説明する。
【００４６】
図４に示すように、移動局ＵＥ＃１は、ステップＳ１００１において、移動局ＵＥ＃１と移動局ＵＥ＃２との間でＵｄインタフェースを介したデータ信号の送受信を開始するための設定が行われる。
【００４７】
例えば、ステップＳ１００１において、移動局ＵＥ＃１と移動局ＵＥ＃２との間のＵｄインタフェースの送受信において用いられる共通の識別子「Ｘ-ＲＮＴＩ（Ｒａｄｉｏ  Ｎｅｔｗｏｒｋ  Ｔｅｍｐｏｒａｒｙ  Ｉｄｅｎｔｉｔｙ）」が割り当てられる。
【００４８】
無線基地局ｅＮＢは、ステップＳ１００２において、移動局ＵＥ＃１が移動局ＵＥ＃２に対してＵｄインタフェースを介してＲＳ＃１を送信するためのリソースを割り当てると共に、移動局ＵＥ＃２が移動局ＵＥ＃１に対してＵｄインタフェースを介してＲＳ＃２を送信するためのリソースを割り当てる。
【００４９】
ここで、無線基地局ｅＮＢは、ステップＳ１００２において、所定トリガを検出した場合に、かかるリソースを割り当ててもよい。
【００５０】
例えば、無線基地局ｅＮＢは、移動局ＵＥ＃１から、Ｕｕインタフェースを介して、移動局ＵＥ＃２宛てのデータ信号の送信に係るスケジューリング要求信号を受信した場合や、移動局ＵＥ＃２から、Ｕｕインタフェースを介して、移動局ＵＥ＃１宛てのデータ信号の送信に係るスケジューリング要求信号を受信した場合等において、上述の所定トリガを検出したと判断してもよい。
【００５１】
無線基地局ｅＮＢは、ステップＳ１００３ａにおいて、移動局ＵＥ＃１に対して、Ｕｕインタフェースを介して、ＲＳ＃１に係る設定信号＃１を送信し、ステップＳ１００３ｂにおいて、移動局ＵＥ＃２に対して、Ｕｕインタフェースを介して、ＲＳ＃２に係る設定信号＃２を送信する。
【００５２】
ここで、無線基地局ｅＮＢは、ステップＳ１００３ａにおいて、移動局ＵＥ＃１に対して、Ｕｕインタフェースを介して、ＲＳ＃２に係る設定信号＃２を送信し、ステップＳ１００３ｂにおいて、移動局ＵＥ＃２に対して、Ｕｕインタフェースを介して、ＲＳ＃１に係る設定信号＃１を送信してもよい。
【００５３】
また、設定信号＃１及び設定信号＃２は、ＲＲＣレイヤの制御メッセージとして送信されてもよいし、物理（ＰＨＹ）レイヤ又はＭＡＣレイヤの制御信号として送信されてもよい。
【００５４】
また、設定信号＃１には、ＲＳ＃１に割り当てられたリソースの時間や周波数やコードの少なくとも１つに係る情報が含まれ、設定信号＃２には、ＲＳ＃２に割り当てられたリソースの時間や周波数やコードの少なくとも１つに係る情報が含まれる。なお、かかる設定信号は、「スケジューリング信号」と呼ばれてもよい。
【００５５】
また、ステップＳ１００２やＳ１００３ａやＳ１００３ｂは、ステップＳ１００１の一部としてステップＳ１００１に含まれてもよい。
【００５６】
ステップＳ１００４ａにおいて、移動局ＵＥ＃１は、移動局ＵＥ＃２に対して、設定信号＃１によって指定されたリソースを用いて、Ｕｄインタフェースを介して、ＲＳ＃１を送信する。
【００５７】
同様に、ステップＳ１００４ｂにおいて、移動局ＵＥ＃２は、移動局ＵＥ＃１に対して、設定信号＃２によって指定されたリソースを用いて、Ｕｄインタフェースを介して、ＲＳ＃２を送信する。
【００５８】
移動局ＵＥ＃１は、ステップＳ１００５ａにおいて、移動局ＵＥ＃２によって受信されたＲＳ＃２に対する測定処理を行い、ステップＳ１００６ａにおいて、無線基地局ｅＮＢに対して、Ｕｕインタフェースを介して、かかるＲＳ＃２の測定結果を含む測定報告＃１を送信する。
【００５９】
移動局ＵＥ＃２は、ステップＳ１００５ｂにおいて、移動局ＵＥ＃１によって受信されたＲＳ＃１に対する測定処理を行い、ステップＳ１００６ｂにおいて、無線基地局ｅＮＢに対して、Ｕｕインタフェースを介して、かかるＲＳ＃１の測定結果を含む測定報告＃２を送信する。
【００６０】
ステップＳ１００７において、無線基地局ｅＮＢは、受信した測定報告＃１に含まれるＲＳ＃２の測定結果や測定報告＃２に含まれるＲＳ＃１の測定結果に基づいて、Ｕｄインタフェースを介して行われる移動局ＵＥ＃１と移動局ＵＥ＃２との間の通信におけるスケジューリング処理を行う。
【００６１】
本発明の第１の実施形態に係る移動通信システムによれば、移動局ＵＥ＃１によって受信されたＲＳ＃１に対する移動局ＵＥ＃２における測定処理の結果及び移動局ＵＥ＃２によって受信されたＲＳ＃２に対する移動局ＵＥ＃２における測定処理の結果に基づいて、Ｕｄインタフェースを介して行われる移動局ＵＥ＃１と移動局ＵＥ＃２との間の通信を制御することができる。
【００６２】
以上に述べた本実施形態の特徴は、以下のように表現されていてもよい。
【００６３】
本実施形態の第１の特徴は、移動局ＵＥ＃１（第１移動局）と移動局ＵＥ＃２（第２移動局）との間で、無線基地局ｅＮＢとの間で設定されているＵｕインタフェース（無線基地局インタフェース）を介することなく、移動局ＵＥ＃１と移動局ＵＥ＃２との間で設定されているＵｄインタフェース（移動局間インタフェース）を介して、データ信号の送受信を行う移動通信方法であって、無線基地局ｅＮＢが、移動局ＵＥ＃１に対して、Ｕｕインタフェースを介して、ＲＳ＃１（第１参照信号）に係る設定信号＃１（第１設定信号）を送信する工程と、無線基地局ｅＮＢが、移動局ＵＥ＃２に対して、Ｕｕインタフェースを介して、ＲＳ＃２（第２参照信号）に係る設定信号＃２（第２設定信号）を送信する工程と、移動局ＵＥ＃１が、設定信号＃１に基づいて、移動局ＵＥ＃２に対して、Ｕｄインタフェースを介して、ＲＳ＃１を送信する工程と、移動局ＵＥ＃２が、設定信号＃２に基づいて、移動局ＵＥ＃１に対して、Ｕｄインタフェースを介して、ＲＳ＃２を送信する工程とを有することを要旨とする。
【００６４】
本実施形態の第１の特徴において、無線基地局ｅＮＢが、移動局ＵＥ＃１に対して、Ｕｕインタフェースを介して、設定信号＃２を送信する工程と、無線基地局ｅＮＢが、移動局ＵＥ＃２に対して、Ｕｕインタフェースを介して、設定信号＃１を送信する工程と、移動局ＵＥ＃１が、設定信号＃２に基づいて、移動局ＵＥ＃２から、Ｕｄインタフェースを介して、ＲＳ＃２を受信する工程と、移動局ＵＥ＃２が、設定信号＃１に基づいて、移動局Ｕ＃＃１から、Ｕｄインタフェースを介して、ＲＳ＃１を受信する工程とを有してもよい。
【００６５】
本実施形態の第１の特徴において、移動局ＵＥ＃１が、無線基地局ｅＮＢに対して、Ｕｕインタフェースを介して、ＲＳ＃２の測定結果を含む測定報告＃１（第１測定報告）を送信する工程と、移動局ＵＥ＃２が、無線基地局ｅＮＢに対して、Ｕｕインタフェースを介して、ＲＳ＃１の測定結果を含む測定報告＃２（第２測定報告）を送信する工程とを有してもよい。
【００６６】
本実施形態の第１の特徴において、設定信号＃１及び設定信号＃２は、それぞれＲＳ＃１及びＲＳ＃２を送信する時間や周波数やコードの少なくとも１つに係る情報を含んでいてもよい。
【００６７】
本実施形態の第２の特徴は、移動局ＵＥ＃１と移動局ＵＥ＃２との間で、Ｕｕインタフェースを介することなく、Ｕｄインタフェースを介して、データ信号の送受信を行うことができるように構成されている移動通信システムにおいて用いられる無線基地局ｅＮＢであって、移動局ＵＥ＃１に対して、Ｕｕインタフェースを介して、ＲＳ＃１に係る設定信号＃１を送信し、移動局ＵＥ＃２に対して、Ｕｕインタフェースを介して、ＲＳ＃２に係る設定信号＃２を送信するように構成されている送信部１３を具備しており、設定信号＃１は、移動局ＵＥ＃１が移動局ＵＥ＃２に対してＵｄインタフェースを介してＲＳ＃１を送信するためのリソースを指示し、設定信号＃２は、移動局ＵＥ＃２が移動局ＵＥ＃１に対してＵｄインタフェースを介してＲＳ＃２を送信するためのリソースを指示することを要旨とする。
【００６８】
本実施形態の第２の特徴において、送信部１３は、移動局ＵＥ＃１に対して、Ｕｕインタフェースを介して、設定信号＃２を送信し、移動局ＵＥ＃２に対して、Ｕｕインタフェースを介して、設定信号＃１を送信するように構成されていてもよい。
【００６９】
本実施形態の第２の特徴において、設定信号＃１及び設定信号＃２は、それぞれＲＳ＃１及びＲＳ＃２を送信する時間や周波数やコードの少なくとも１つに係る情報を含んでいてもよい。
【００７０】
本実施形態の第３の特徴は、移動局ＵＥ＃１と移動局ＵＥ＃２との間で、Ｕｕインタフェースを介することなく、Ｕｄインタフェースを介して、データ信号の送受信を行うことができるように構成されている移動通信システムにおいて移動局ＵＥ＃１として用いられる移動局ＵＥであって、無線基地局ｅＮＢから、Ｕｕインタフェースを介して、ＲＳ＃１に係る設定信号＃１を受信するように構成されている受信部２２と、設定信号＃１に基づいて、移動局ＵＥに対して、Ｕｄインタフェースを介して、ＲＳ＃１を送信するように構成されている送信部２１とを具備することを要旨とする。
【００７１】
本実施形態の第３の特徴において、測定部２２を更に具備しており、受信部２２は、無線基地局ｅＮＢから、Ｕｄインタフェースを介して、ＲＳ＃２に係る設定信号＃２を受信するように構成されており、受信部２２は、設定信号＃２に基づいて、移動局ＵＥ＃２によって送信されたＲＳ＃２を受信するように構成されており、測定部２２は、受信したＲＳ＃２に対する測定処理を行うように構成されており、送信部２１は、無線基地局ｅＮＢに対して、Ｕｕインタフェースを介して、ＲＳ＃２の測定結果を含む測定報告＃１を送信するように構成されていてもよい。
【００７２】
なお、上述の無線基地局ｅＮＢや移動局ＵＥ等の動作は、ハードウェアによって実施されてもよいし、プロセッサによって実行されるソフトウェアモジュールによって実施されてもよいし、両者の組み合わせによって実施されてもよい。
【００７３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ等内に設けられていてもよい。また、かかる記憶媒体及びプロセッサは、ディスクリートコンポーネントとして無線基地局ｅＮＢや移動局ＵＥ等内に設けられていてもよい。
【００７５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７６】
ｅＮＢ…無線基地局
ＵＥ…移動局
１１、２２…受信部
１２…スケジューリング部
１３、２１…送信部
２３…測定部
【図１】
0005568506.tif 000002
【図２】
0005568506.tif 000003
【図３】
0005568506.tif 000004
【図４】
0005568506.tif 000005